(57)【要約】【課題】駐車料金の設定において、需要の大きさによる価格変動（ダイナミックプライシング）を実際の利用状況を反映して適切に行うことができる駐車料金設定システムを提供すること。【解決手段】駐車場Ｐの場内及び駐車場Ｐから所定範囲内の周辺領域に配置される機器から混雑度合の情報を取得する情報取得部１０と、情報取得部１０で取得した情報に基づき駐車料金を変更する駐車料金変更部５０とを備え、駐車料金の設定について、ダイナミックプライシングを駐車料金変更部５０において行う。【選択図】図２
2022002062.tif 000002
【特許請求の範囲】
【請求項１】
駐車場の場内及び駐車場から所定範囲内の周辺領域に配置される機器から混雑度合の情報を取得する情報取得部と、
前記情報取得部で取得した情報に基づき駐車料金を変更する駐車料金変更部と
を備える駐車料金設定システム。
【請求項２】
前記情報取得部は、他の駐車場の満空情報、提携店舗の利用者数、マイク音量、交通量情報、イベント情報及び画像データのうち少なくともいずれかを混雑度合の情報として取得する、請求項１に記載の駐車料金設定システム。
【請求項３】
前記駐車料金変更部は、前記情報取得部で取得した情報と、駐車場の空車台数との関係から駐車料金の変更価格を決定する、請求項１及び２のいずれか一項に記載の駐車料金設定システム。
【請求項４】
前記情報取得部は、ＬＰＷＡ方式による無線通信により混雑度合の情報を取得する、請求項１〜３のいずれか一項に記載の駐車料金設定システム。
【請求項５】
前記情報取得部は、外部ネットワーク回線を介さずにオフラインで情報を取得する、請求項１〜３のいずれか一項に記載の駐車料金設定システム。
【請求項６】
前記情報取得部は、前記機器とのデータ通信を可能にするゲートウェイであり、
前記駐車料金変更部は、混雑度合の情報について予め定めた閾値に基づき変更価格を決定する演算回路である、請求項１〜５のいずれか一項に記載の駐車料金設定システム。
【発明の詳細な説明】
【技術分野】
【０００１】
本発明は、駐車場において、駐車料金を設定する駐車料金設定システムに関する。
【背景技術】
【０００２】
駐車場の管理について、駐車料金の設定に関するものとして、駐車料金の事前精算の完了から車両を出場させるまでの猶予時間を妥当な範囲に設定すべく、駐車場内外の混雑情報に基づいて課金するか否かを定めているもの（特許文献１参照）が知られている。
【０００３】
しかしながら、例えば上記特許文献１に開示の技術は、駐車料金自体の設定を変更するものではなく、猶予時間の妥当性から課金を行うか否かを定めるためのものである。また、例えば上記先行技術１における駐車場外の渋滞状況を把握すべくインターネット回線を利用しているが、対象となる個々の駐車場の料金を動的に設定するための情報が、インターネット回線を通じた情報やビッグデータ等に基づく情報によって得られるとは限らない。
【先行技術文献】
【特許文献】
【０００４】
【特許文献１】特開２０１９−１０９５８６号公報
【発明の概要】
【０００５】
本発明は上記した点に鑑みてなされたものであり、駐車料金の設定において、需要の大きさによる価格変動（ダイナミックプライシング）を実際の利用状況を反映して適切に行うことができる駐車料金設定システムを提供することを目的とする。
【０００６】
上記目的を達成するための駐車料金設定システムは、駐車場の場内及び駐車場から所定範囲内の周辺領域に配置される機器から混雑度合の情報を取得する情報取得部と、情報取得部で取得した情報に基づき駐車料金を変更する駐車料金変更部とを備える。
【０００７】
上記駐車料金設定システムでは、駐車場の場内及び所定範囲内の周辺における混雑度合の情報に基づいて、駐車場の駐車料金を変更することで、当該駐車料金の設定について、需要の大きさによる価格変動（ダイナミックプライシング）を実際の利用状況を反映して適切に行うことができる。
【０００８】
本発明の具体的な側面では、情報取得部は、他の駐車場の満空情報、提携店舗の利用者数、マイク音量、交通量情報、イベント情報及び画像データのうち少なくともいずれかを混雑度合の情報として取得する。この場合、駐車場の近隣における多様な情報源のうちから駐車料金の設定に関与するものを選定できる。
【０００９】
本発明の別の側面では、駐車料金変更部は、情報取得部で取得した情報と、駐車場の空車台数との関係から駐車料金の変更価格を決定する。この場合、近隣の情報を参照しつつ空車状況に応じて適正に価格設定を行える。
【００１０】
本発明のさらに別の側面では、情報取得部は、ＬＰＷＡ（Low Power Wide Area）方式による無線通信により混雑度合の情報を取得する。この場合、必要とする範囲の情報を取得可能としつつ、簡易にシステムの構築ができる。
【００１１】
本発明のさらに別の側面では、情報取得部は、外部ネットワーク回線を介さずにオフラインで情報を取得する。この場合、ネットワーク環境を要することなく、簡易に設備を構築できる。
【００１２】
本発明のさらに別の側面では、情報取得部は、機器とのデータ通信を可能にするゲートウェイであり、駐車料金変更部は、混雑度合の情報について予め定めた閾値に基づき変更価格を決定する演算回路である。この場合、ゲートウェイと演算回路とを主体として、駐車料金設定システムを簡易に構成できる。
【図面の簡単な説明】
【００１３】
【図１】実施形態に係る駐車料金設定システムを組み込んだ駐車場や周辺の様子について外示す概略図である。
【図２】駐車料金設定システムの一構成例を示す概念図である。
【図３】駐車料金設定システムの各部を含む駐車場の設備について説明するためのブロック図である。
【図４】駐車料金設定システムにおいて取り扱う混雑度合の情報等について一例を示すデータ表の図である。
【図５】（Ａ）は、駐車料金設定システムにおける駐車料金の設定変更の様子について一例を説明するための概念図であり、（Ｂ）は、（Ａ）における設定変更の基準について一例を説明するための概念図である。
【図６】駐車管理に際して取り扱う情報について一例を示すデータ表の図である。
【図７】（Ａ）は、駐車場に設ける看板について一例を示す概念的な正面図であり、（Ｂ）は、駐車場に設ける発券装置について一例を示す概念的な正面図である。
【図８】近隣にある複数の駐車場において駐車料金設定システムをそれぞれ利用する場合について、一例を示すブロック図である。
【図９】駐車料金設定システムの他の一構成例を示す概念図である。
【発明を実施するための形態】
【００１４】
以下、図１等を参照して、一実施形態に係る駐車料金設定システムの一例について説明する。まず、本実施形態に係る駐車料金設定システム１００は、図１の概略図及び図２の概念図に一例を示すように、管理対象とする駐車場（以下、駐車場Ｐとする。）やその周辺、さらには、近隣の提携店舗（以下、店舗Ｓとする。）や、近隣にある他の駐車場（以下、駐車場Ａ，Ｂとする。）から情報を収集し、収集した情報に基づき駐車場Ｐの駐車料金の設定を動的に変更する。つまり、駐車料金設定システム１００は、周辺状況によるダイナミックプライシングを行う。なお、以下では、一例として、いわゆる時間貸しによる駐車料金の場合、より具体的には、一時間単位で利用料金を設定してその利用料金が刻々変動していく場合について説明する。また、図示の一例では、駐車料金設定システム１００は、店舗Ｓや駐車場Ａ，Ｂとは、例えばＬＰＷＡ（Low Power Wide Area）方式等により、ある程度の範囲をカバー可能な近距離無線通信を行う。
【００１５】
以下、図２に示す概念図を参照して、駐車料金設定システム１００の一構成例について概要を説明する。駐車料金設定システム１００は、種々の箇所から混雑度合の情報を取得する情報取得部１０と、情報取得部１０で取得した情報に基づき駐車料金を変更する駐車料金変更部５０とを備える。
【００１６】
情報取得部１０は、駐車場Ｐの場内及び駐車場Ｐから所定範囲内の周辺領域ＡＲ１に配置される機器等から、混雑度合の情報となる車両や人の多さ等を示す指標となる情報を取得する。図示の一例では、情報取得部１０は、機器Ｍ１，Ｍ３と有線接続されて通信を行っており、機器Ｍ２を設けた店舗Ｓや駐車場Ａ，Ｂとは、近距離無線による通信を行っている。
【００１７】
まず、機器Ｍ１は、近隣の主要道路である道路ＲＲを撮像するカメラであり、駐車場Ｐの周辺についての情報を取得するものの一例を示している。機器Ｍ１は、取得した画像データを情報取得部１０に対して出力する。すなわち、情報取得部１０延いては駐車料金変更部５０は、機器Ｍ１からの画像データに基づいて、近隣の交通量情報を取得できる。
【００１８】
次に、機器Ｍ２は、例えば、人の通過を検知するゲートセンサーあるいは当該ゲートセンサーに設けたカウンターであり、駐車場Ｐの管理者が提携している店舗Ｓの入り口等に設置されている。これにより、情報取得部１０延いては駐車料金変更部５０は、店舗Ｓの利用者数の情報すなわち人数データを取得できる。また、情報取得部１０は、店舗Ｓとの近距離無線通信により、例えば店舗Ｓにおけるイベント情報といった利用者の変動に大きな影響を及ぼし得る情報を取得する。
【００１９】
一方、機器Ｍ３は、例えば、駐車場Ｐの場内のうち通路や出入り口等に設置されて場内の集音を行うマイクである。機器Ｍ３により、情報取得部１０延いては駐車料金変更部５０は、場内の騒音の度合を示す音声データ（マイク音量のデータ）を取得できる。
【００２０】
このほか、既述のように、情報取得部１０は、近距離無線通信により、近隣にある他の駐車場Ａ，Ｂからも、情報取得可能となっている。図示の例では、他の駐車場Ａや駐車場Ｂから各駐車場の満空情報を受け取っている。
【００２１】
情報取得部１０は、以上のようにして取得した混雑度合の情報（混雑度合データ）を、駐車料金変更部５０に出力する。なお、情報取得部１０は、上記のような機器Ｍ１等とのデータ通信を可能にするゲートウェイであり、単体のゲートウェイ機器で、または、複数のゲートウェイ機器をつなぎ合わせて構成される。
【００２２】
駐車料金変更部５０は、情報取得部１０で取得した情報（混雑度合データ）を管理するとともに、これらの情報に基づき駐車料金を変更すべく、例えば、演算回路等で構成される。
【００２３】
以上のように、駐車料金設定システム１００は、駐車場Ｐの近隣にある各機器Ｍ１〜Ｍ３、あるいは、店舗Ｓ、駐車場Ａ，Ｂといった設備等を、混雑度合データの取得対象としている。見方を変えると、駐車料金設定システム１００では、情報取集を行う周辺領域ＡＲ１が、近隣の限定された範囲内に限られている。具体的には、周辺領域ＡＲ１については、例えば縦横四方の寸法ＤＤ１，ＤＤ２を、ＬＰＷＡ方式による近距離無線による通信が可能な１〜２ｋｍ程度とすることが考えられる。これにより、簡易な設備でありながら、駐車場Ｐの立地条件等を勘案して適切な料金設定を行う上で必要な情報を、確実に取得する態様としている。
【００２４】
一般に、各種情報収集を行うための手段として、例えばインターネット回線を利用することや、さらには、ビッグデータの解析を利用する、といったことも考えられる。しかしながら、個々の駐車場の利用度合を的確に捉える上では、各駐車場の立地条件や、その日ごとの環境といった要素の影響が大きく、必ずしもビッグデータ等に基づく情報等を利用することが、駐車場の料金を動的に設定する上で合理的根拠になるとは限らない。そこで、本実施形態では、上記のようにして収集した近隣情報を積極的に活用して、駐車料金変更部５０において設定処理等をすることで、適切な料金設定を実現している。
【００２５】
以下、図３のブロック図を参照して、駐車料金設定システム１００の各部を含む駐車場Ｐの設備のうち、主に、駐車料金変更部５０の一構成例について詳細を説明する。
【００２６】
図示のように、駐車料金変更部５０は、主制御部５１と、記憶部５２と、情報取得部１０との窓口であるインターフェース（混雑度合データ受付部）５３と、タイマー５４と、駐車場管理部９０との窓口であるインターフェース（設定ランクデータ送信部）５５とを備える。
【００２７】
主制御部５１は、各種演算回路等で構成され、情報取得部１０で取得した各種混雑度合の情報（混雑度合データ）についてのデータ処理を行うデータ処理部５１ａと、駐車料金の設定変更における価格決定のランク付けを行うランク設定部５１ｂと、精算に際して駐車料金の計算を行う駐車料金計算部５１ｃとを備える。
【００２８】
データ処理部５１ａは、インターフェース５３で受け付けた情報取得部１０からの混雑度合データについて、タイマー５４を適宜参照して現在時刻を付与して、記憶部５２の所定領域に格納する。なお、処理されるデータの内容についての詳しい一例は、図４を参照して後述する。
【００２９】
ランク設定部５１ｂは、上述のようにして記憶部５２に格納された混雑度合データと、予め記憶部５２に格納されている駐車料金の設定（料金のランク設定）に関する判断基準のデータとに基づいて、駐車料金の設定変更を行う。なお、料金のランク設定についての詳しい一例は、図５を参照して後述する。
【００３０】
駐車料金計算部５１ｃは、ランク設定部５１ｂで設定された駐車料金の料金体系（例えば、一時間当たりの利用料の設定金額）と、駐車場管理部９０における駐車管理情報（例えば、駐車時間の情報）とに基づいて、駐車場Ｐの利用者から徴収する駐車料金の計算を行う。
【００３１】
記憶部５２は、データ記憶用のチップ等で構成され、混雑度合データ格納部５２ａと、ランク条件データ格納部５２ｂと、設定ランクデータ格納部５２ｃとを備える。
【００３２】
混雑度合データ格納部５２ａは、情報取得部１０からの情報をデータ処理部５１ａで処理した結果としての混雑度合データを、格納する。具体的には、図４に例示するように、各種データが時系列でまとめられた状態となって格納される。
【００３３】
ランク条件データ格納部５２ｂは、ランク設定部５１ｂで駐車料金の設定変更を行う際に必要となる判断基準のデータを格納する。例えば、図５（Ａ）に示す設定価格の変更（ランク設定）に際して、図５（Ｂ）に例示するようなランク変更の判断基準（閾値α〜δによる判定基準）となるデータが、ランク条件データ格納部５２ｂに格納されている。すなわち、かかるデータが、ランク設定部５１ｂでのランク付けの処理に際して、適宜参照される。
【００３４】
設定ランクデータ格納部５２ｃは、ランク設定部５１ｂで設定された駐車料金（ランク設定）が記録される。具体的には、図５（Ａ）において星印で示す現在時刻におけるランク設定の位置を記憶する。つまり、駐車料金変更部５０は、設定ランクデータ格納部５２ｃにおいて、混雑度合の情報について予め定めた閾値に基づき変更価格を決定する。
【００３５】
インターフェース５３は、情報取得部１０との窓口として機能すべく、情報取得部１０に接続され、情報取得部１０から混雑度合データ等の各種情報を取得する。つまり、インターフェース５３は、典型的には、混雑度合データ受付部として機能する。
【００３６】
タイマー５４は、時刻の計時を行い、既述のように、主制御部５１に対して現在時刻の情報を提供する。
【００３７】
インターフェース５５は、駐車場管理部９０との窓口として機能すべく、駐車場管理部９０に接続され、駐車場管理部９０に対して設定価格の変更（ランク設定）の内容を出力する設定ランクデータ送信部として機能する。また、駐車料金設定システム１００は、インターフェース５５を介して駐車場管理部９０から、駐車場Ｐの空車台数といった満空情報や、駐車時間等の駐車料金の計算に必要な情報を取得する。
【００３８】
なお、駐車場管理部９０は、駐車場Ｐにおける各種管理を統括制御するための駐車場管理装置であり、例えば管理用サーバーやＰＣ等で構成され、各種演算処理を行うためのＣＰＵのほか、各種データやプログラムを格納するメモリ等で構成されている。本実施形態では、図６に例示するように、入出場の時刻や決済処理の完了に加え、駐車料金設定システム１００での料金設定に関する情報が管理される。また、本実施形態では、駐車場管理部９０は、駐車料金設定システム１００からの駐車料金の設定に関する情報を、利用者に提示すべく、例えば管理下にある各部の表示部ＤＳに、現在における設定料金について表示させることが可能になっている（図７に例示）。
【００３９】
以下、図４等を参照して、駐車料金設定システム１００における混雑度合の情報（混雑度合データ）についてのデータ処理や管理、さらにはこれに基づく駐車料金の設定方法についての一例を説明する。
【００４０】
図４は、既述のように、駐車料金設定システム１００において取り扱う情報のうち、混雑度合の情報を含む駐車料金の料金体系設定（価格設定）する際に必要となる外部状況を把握するための各種データについて、一例を示すデータ表の図である。ここでの一例では、駐車料金変更部５０は、情報取得部１０を介して、最も短い周期で３０秒ごとにデータ収集を行う。
【００４１】
以下、データ収集の一例に関して、より具体的に説明する。まず、他の駐車場Ａ，Ｂからは、情報取得部１０に対して１時間おきに満空情報が送信される。図示の例では、各駐車場Ａ，Ｂごとに、稼働率（％）の情報が提供される。つまり、駐車料金変更部５０は、近隣の駐車場の混み具合とその変化状況を把握できる。
【００４２】
また、機器Ｍ１（カメラ）からは、２分おきに画像データが送信される。駐車料金変更部５０は、画像データに含まれる通行車両等を解析して、交通量を算定する。例えば交通量については、単位時間当たりの車両の通過台数に応じて予め閾値を設定しておき、閾値に応じて、交通量が疎（少ない）か、蜜（混雑している）か、通常程度であるかを定め、記録する。つまり、駐車料金変更部５０は、近隣の交通量の程度とその変化状況を把握できる。
【００４３】
また、機器Ｍ２（ゲートセンサー）からは、３０秒ごとに店舗Ｓに入店した人数すなわち利用者数についてのデータ（人数データ）が送信され、駐車料金変更部５０は、これに対応する提携店舗Ｓの利用者数（人数）を記録する。さらに、機器Ｍ３（駐車場Ｐの場内のマイク）からは、１分おきに音声データが送信され、駐車料金変更部５０は、これに対応するマイク音量（ｄＢ）を記録する。つまり、駐車料金変更部５０は、これらの情報から、店舗Ｓや駐車場Ｐ内の混雑状況とその変化状況を把握できる。
【００４４】
さらに、駐車料金変更部５０は、以上の各種混雑度合の情報（混雑度合データ）に併せて、駐車場管理部９０から、満空情報として駐車場Ｐにおける空車台数の情報を記録する。つまり、駐車場Ｐの稼働率とその変化状況を把握し、これを上記した各種情報と対応づける。
【００４５】
駐車料金変更部５０は、上記データ表の情報を利用して、料金設定の変更を行う。すなわち、これらの情報から、駐車場Ｐの周辺状況の今後の変化を予測し、駐車場利用について、利益を最大限とすべく、ダイナミックプライシングを行う。つまり、駐車料金変更部５０は、情報取得部１０で取得した情報と、駐車場Ｐの空車台数との関係から駐車料金の変更価格を決定する。
【００４６】
ここで、ダイナミックプライシングを行う具体的手法（価格の決定方法）は、種々考えられるが、ここでは、説明を簡単にするために、図４を参照して例示した各種情報（各数値の変化量）を入力情報として一意に出力値（数値データ）を定める関数あるいはテーブルデータが存在するものとし、さらに、予め定めた閾値と、当該出力値とを比較することで、価格設定を行うものとする。
【００４７】
以下、図５を参照して、駐車料金設定システム１００における駐車料金の設定変更について一例を説明する。図５（Ａ）の例示では、設定価格について、７段階の設定価格ランク（ランクＳ〜ランクＣ２）を設け、駐車料金変更部５０は、１時間おきにランクの見直しを行うことで、設定変更（ランクの更新）をする。したがって、駐車場Ｐに駐車する各車両の利用料金の設定価格については、入場時において、どの設定価格ランクを適用することになるのかが決定される。つまり、上記態様では、図４に例示した各種データの１時間の間での変化状況に基づいて、次の時間帯（１時間）に入場する車両の単位時間当たりの利用料金が決定される。
【００４８】
この際、図５（Ｂ）に例示するように、ランクの上下動については、予め定めた４つの閾値α〜δ（α＞β＞γ＞δ）と、上述した各種混雑度合の情報（混雑度合データ）の１時間での変化量から算出される出力値との比較に基づいて、決定される。なお、図示の場合、４つの閾値α〜δに基づいて、最大±２ランクの上下動が生じ得ることになり、図５（Ａ）の一例では、前の時間帯（９時台）のランクと次の時間帯（１０時台）のランクとでは、７つのランクのうち、上から４番目のランクＣ１であったものが、上から２番目のランクＡ１へと２ランクアップ（＋２）した場合を示している。
【００４９】
また、図６に例示するように、駐車場管理部９０による駐車場Ｐの駐車場管理に際しては、各駐車車両の入場及び出場時刻や決済処理の完了に加え、上述した駐車料金に関する設定ランクの情報が記録される。すなわち、車両（これに対応する駐車券）ごとに、入場時においてどのランクの料金体系が適用されたかが、記録されている。車両の出場に際しての駐車料金の精算では、これらの各種情報が、駐車場管理部９０から駐車料金変更部５０に対して出力され、駐車料金変更部５０において料金計算がなされる。
【００５０】
以下、図７を参照して、上記のような料金体系について、駐車場Ｐに入場しようとする利用者に示すための表示部ＤＳの態様について例示する。図７（Ａ）は、駐車場Ｐに設ける看板ＢＢについて一例を示す概念的な正面図であり、図７（Ｂ）は、駐車場Ｐの入り口に設ける発券装置ＴＯについて一例を示す概念的な正面図である。いずれも、駐車場管理部９０（図３等参照）からの指令信号等に基づき、表示部ＤＳにおける表示態様が変更される。なお、表示部ＤＳについては、種々の態様が適用可能であるが、例えば液晶パネルや発光ダイオード等を利用した各種電光掲示板で構成することができる。
【００５１】
例えば、図７（Ａ）に例示する看板ＢＢは、表示部ＤＳ１（ＤＳ）において、現在時刻に応じて設定されている駐車料金の体系を、可変表示部ＤＳｐに表示している。なお、併せて、看板ＢＢのうち、他の可変表示部ＤＳｔにおいて、上記駐車料金の体系が適用される時間帯についての表示が行われてもよい。
【００５２】
また、例えば、図７（Ｂ）に例示する発券装置ＴＯは、駐車場Ｐ（図３等参照）の入り口に設けられ、表示部ＤＳ２（ＤＳ）に音声案内を行うスピーカーＳＰと、駐車券を発券する発券部ＴＤとを備える。発券装置ＴＯは、表示部ＤＳ２（ＤＳ）において、現在時刻に応じて設定されている駐車料金の体系を、可変表示部ＤＳｃに表示している。なお、併せて、スピーカーＳＰによる音声案内を利用して、駐車料金の体系について伝達してもよい。
【００５３】
以上のように、本実施形態に係る駐車料金設定システム１００は、駐車場Ｐの場内及び駐車場Ｐから所定範囲内の周辺領域に配置される機器から混雑度合の情報を取得する情報取得部１０と、情報取得部１０で取得した情報に基づき駐車料金を変更する駐車料金変更部５０とを備える。この場合、駐車場Ｐの場内及び所定範囲内の周辺における混雑度合の情報に基づいて、駐車場Ｐの駐車料金を変更することで、当該駐車料金の設定について、需要の大きさによる価格変動（ダイナミックプライシング）を実際の利用状況を反映して適切に行うことができる。
【００５４】
以下、図８を参照して、近隣にある複数の駐車場Ｐ，Ａ，Ｂにおいて、駐車料金設定システム１００（１００Ｐ，１００Ａ，１００Ｂ）をそれぞれ利用する場合について、一例を示すブロック図である。なお、図示のように、ここでは、駐車場Ｐを管理対象とする駐車料金設定システム１００Ｐは、駐車場Ｐの周辺領域ＡＲ１において情報取集を行う。同様に、駐車場Ａを管理対象とする駐車料金設定システム１００Ａは、駐車場Ａの周辺領域ＡＲ２において情報取集を行い、駐車場Ｂを管理対象とする駐車料金設定システム１００Ｂは、駐車場Ｂの周辺領域ＡＲ３において情報取集を行う。周辺領域ＡＲ１〜ＡＲ３は、一部重複する範囲も有しつつ、互いに異なる範囲となっている。これに伴い、各駐車料金設定システム１００Ｐ，１００Ａ，１００Ｂにおいて取り扱われる情報についても、一部重複しつつ、全体としては、個々に異なっている。
【００５５】
まず、駐車料金設定システム１００Ｐは、周辺領域ＡＲ１内に存在する機器Ｍ１〜Ｍ３や、駐車場Ａ，Ｂの駐車料金設定システム１００Ａ，１００Ｂから、混雑度合の情報を、情報取得部１０Ｐを介して駐車料金変更部５０Ｐにおいて収集する。すなわち、駐車料金設定システム１００Ｐの駐車料金変更部５０Ｐは、機器Ｍ１，Ｍ２，Ｍ３からの情報及び駐車場Ａ，Ｂからの満空情報に基づいて、料金設定の変更を行う。
【００５６】
これに対して、駐車料金設定システム１００Ａは、周辺領域ＡＲ２内に存在する機器Ｍ２，Ｍ４，Ｍ５や、駐車場Ｐの駐車料金設定システム１００Ｐ、さらには、他の駐車場Ｃから、混雑度合の情報を収集する。
【００５７】
この場合、周辺領域ＡＲ２と周辺領域ＡＲ１とが重複する範囲にある機器Ｍ２は、駐車料金設定システム１００Ｐの情報取得部１０Ｐに対してのみならず、駐車料金設定システム１００Ａの情報取得部１０Ａに対しても、情報を出力する。一方、周辺領域ＡＲ１の範囲内にあるが、周辺領域ＡＲ２の範囲外にある機器Ｍ１や、駐車場Ｐ内に設けられた機器Ｍ３は、情報取得部１０Ａに接続されていない。その一方で、周辺領域ＡＲ２の範囲内にあるが、周辺領域ＡＲ１の範囲外にある機器Ｍ４や、駐車場Ａ内に設けられた機器Ｍ５は、情報取得部１０Ａにのみ接続されており、情報取得部１０Ａに対してのみ、情報を出力する。すなわち、駐車料金設定システム１００Ａの駐車料金変更部５０Ａは、機器Ｍ２，Ｍ４，Ｍ５からの情報及び駐車場Ｐ，Ｃからの満空情報に基づいて、料金設定の変更を行う。
【００５８】
また、駐車料金設定システム１００Ｂは、周辺領域ＡＲ３内に存在する機器Ｍ１，Ｍ６，Ｍ７や、駐車場Ｐの駐車料金設定システム１００Ｐ、さらには、他の駐車場Ｄから、混雑度合の情報を収集する。なお、この場合、機器Ｍ２や機器Ｍ３は、情報取得部１０Ｂに接続されていない。すなわち、駐車料金設定システム１００Ｂの駐車料金変更部５０Ｂは、機器Ｍ１，Ｍ６，Ｍ７からの情報及び駐車場Ｐ，Ｄからの満空情報に基づいて、料金設定の変更を行う。
【００５９】
以上のように、駐車料金設定システム１００Ｐ，１００Ａ，１００Ｂをそれぞれ利用する駐車場Ｐ，Ａ，Ｂは、取り扱う情報が、一部重畳しつつも個々に異なったものとなっていることで、個別の基準で判断を行い、ダイナミックプライシングを実現している。
【００６０】
なお、上記において、各駐車場間で与え合う情報について、満空情報に限らず、各駐車場において管理される混雑度合の情報の全部または一部を、他の駐車場に対して伝達するものとしてもよい。この際、例えば駐車料金設定システム１００Ｂが保有する情報を、駐車料金設定システム１００Ｐを介して、駐車料金設定システム１００Ａに伝達する態様とすることも考えられる。
【００６１】
〔その他〕
この発明は、上記の上記各実施形態に限られるものではなく、その要旨を逸脱しない範囲において種々の態様で実施することが可能である。
【００６２】
例えば、上記では、例えば図２等に示したように、有線接続に限らず、ＬＰＷＡ方式による近距離無線による通信を組み合わせて、情報伝達を行う構成としているが、図２に対応する図９に示す駐車料金設定システム１００の他の一構成例のように、全て有線接続とする構成も考えられる。すなわち、情報取得部１０が、外部ネットワーク回線を介さずにオフラインで情報を取得する構成としてもよい。
【００６３】
また、上記の一例では、駐車場の入場に際して駐車券を発券し、駐車券に基づき駐車車両の管理を行う場合について説明しているが、これに限らず、例えば、フラップ式やフラップレス式の駐車場においても、本発明を適用することができる。
【００６４】
また、上記では、情報取得部１０において取得する情報あるいはデータとして、他の駐車場の満空情報、提携店舗の利用者数、マイク音量、交通量情報、イベント情報及び画像データを採用しているが、これら全てを利用するものでなく、これらのうち、一部を利用する態様とすることもできる。あるいは、これら以外の情報を、混雑度合を示す情報すなわち混雑度合の情報として採用してもよい。例えば、ＦＭ電波等により、近隣の渋滞情報が取得可能な場合、これを利用する、といった態様も考えられる。また、店舗Ｓについても、ショッピングセンター等の大型商業施設のほか、例えば駅やイベント会場等種々のものが考えられる。さらに、大型商業施設やイベント会場等において、大きな催し物が開催されることが分かっている場合には、駐車料金の設定基準を予め変更しておいてもよい。
【００６５】
また、上記では、近隣の主要道路である道路ＲＲの状況について検知する機器Ｍ１として、道路ＲＲを撮像するカメラを採用しているが、道路状況を検知するに際しては、カメラに限らず、測距センサーといった各種センサー等を利用することが考えられる。また、各種センサーについては、近隣の主要道路といった場外に限らず、場内の検知において利用してもよい。また、逆に、場内に設置する機器Ｍ２としてのマイクを、場外の状況を検知するものとして利用してもよい。さらに、機器Ｍ１〜Ｍ７として、上記のようなカメラやマイクあるいはデートセンサー以外にも、雨量計や温度計、湿度計、風量計等、種々の環境を検知するものを併せて利用してもよい。
【００６６】
また、データの取り方や利用態様についても、上記した一例に限らず、種々の態様とすることができる。例えばデータを取る頻度や、ランクの見直しの頻度等については、３０秒ごとや１時間ごとに限らず、駐車場の立地条件や環境変化の特性等種々の状況に応じて設定できる。また、例えば判断材料となる状況変化の期間についても、種々の態様とすることができ、例えば、１日から数日の累積的変化に基づいて、料金設定を変動させるものとしてもよい。
【００６７】
また、駐車料金設定システム１００は、駐車場を管理するためのシステムの一部として組み込まれていてもよく、例えば、駐車場管理部９０に付随して情報取得部１０や駐車料金変更部５０の全部または一部が設けられていてもよい。
【符号の説明】
【００６８】
１０，１０Ａ，１０Ｂ，１０Ｐ…情報取得部、５０，５０Ａ，５０Ｂ，５０Ｐ…駐車料金変更部、５１…主制御部、５１ａ…データ処理部、５１ｂ…ランク設定部、５１ｃ…駐車料金計算部、５２…記憶部、５２ａ…混雑度合データ格納部、５２ｂ…ランク条件データ格納部、５２ｃ…設定ランクデータ格納部、５３…インターフェース（混雑度合データ受付部）、５４…タイマー、５５…インターフェース（設定ランクデータ送信部）、９０…駐車場管理部、１００，１００Ａ，１００Ｂ，１００Ｐ…駐車料金設定システム、Ａ，Ｂ，Ｃ，Ｄ，Ｐ…駐車場、ＡＲ１，ＡＲ２，ＡＲ３…周辺領域、ＢＢ…看板、ＤＤ１，ＤＤ２…寸法、ＤＳ，ＤＳ１，ＤＳ２…表示部、ＤＳｃ，ＤＳｐ，ＤＳｔ…可変表示部、Ｍ１〜Ｍ７…機器、ＲＲ…道路、Ｓ…店舗、ＳＰ…スピーカー、ＴＤ…発券部、ＴＯ…発券装置、α〜δ…判断基準（閾値）
【図１】
2022002062.tif 000003
【図２】
2022002062.tif 000004
【図３】
2022002062.tif 000005
【図４】
2022002062.tif 000006
【図５】
2022002062.tif 000007
【図６】
2022002062.tif 000008
【図７】
2022002062.tif 000009
【図８】
2022002062.tif 000010
【図９】
2022002062.tif 000011